(57)【要約】【課題】  外部からの水分の浸入を防止し、ケーブル被覆等に存在する水分により湿気を含んだ空気が他方のケーブルへ伝達するのを防止する防湿機能をもたせることである。【解決手段】  １つのプラグハウジングに複数のプラグ部を設け、これら複数のプラグ部にそれぞれ着脱自在にレセプタクルを挿入し、複数のプラグ部は、障壁部で仕切られ、この障壁部をプラグコンタクトが気密に貫通し、その端部をそれぞれのプラグ部のレセプタクル挿入孔内に突設し、これらのレセプタクル挿入孔内にそれぞれ圧接リングを嵌合してなり、レセプタクルは、レセプタクルハウジングに、嵌合孔とプラグコンタクト差し込み孔を形成し、嵌合孔内にケーブルを気密に貫通するシール部材を形成し、プラグコンタクト差し込み孔内に、一端部がケーブルに接続され、他端部がプラグコンタクトに接離される接触ばねを有する圧着端子を収納してなる。【選択図】  図１
2007005155.tif 000002
【特許請求の範囲】
【請求項１】
プラグハウジングに設けた複数のプラグ部と、これら複数のプラグ部にそれぞれ着脱自在に挿入されるレセプタクルとからなり、前記複数のプラグ部は、プラグハウジングの途中の障壁部で仕切られ、この障壁部を気密に貫通するプラグコンタクトの端部をそれぞれのプラグ部のレセプタクル挿入孔内に突設し、これらのレセプタクル挿入孔内にそれぞれ圧接リングを嵌合してなり、前記レセプタクルは、前記レセプタクル挿入孔に挿入されるレセプタクルハウジングに、一端部側から嵌合孔を形成し、この嵌合孔から前記レセプタクルハウジングの他端部側に貫通するプラグコンタクト差し込み孔を形成し、前記嵌合孔内にケーブルを気密に貫通するシール部材を形成し、前記プラグコンタクト差し込み孔内に、一端部がケーブルに接続され、他端部が前記プラグコンタクトに接離される接触ばねを有する圧着端子を収納してなることを特徴とするケーブル中継用コネクタ。
【請求項２】
プラグハウジングの両端にそれぞれ設けた第１プラグ部及び第２プラグ部と、これらの第１プラグ部と第２プラグ部にそれぞれ着脱自在に挿入されるレセプタクルとからなり、前記第１プラグ部及び第２プラグ部は、筒型のプラグハウジングの途中の障壁部で仕切られ、この障壁部を気密に貫通するプラグコンタクトの両端部をそれぞれのプラグ部のレセプタクル挿入孔内に突設し、これらのレセプタクル挿入孔の内周面と前記障壁部の壁面とに密接するようにそれぞれ圧接リングを嵌合し、この圧接リングの抜け止めのための支持リングを前記レセプタクル挿入孔の内周面に嵌合係止してなり、前記レセプタクルは、前記レセプタクル挿入孔に挿入されるレセプタクルハウジングに、一端部側から嵌合孔を形成し、この嵌合孔から前記レセプタクルハウジングの他端部側に貫通するプラグコンタクト差し込み孔を形成し、前記嵌合孔の内周面にシール部材の鍔部を気密に嵌合するとともに、このシール部材の抜け止めのための抜け止めリングを前記嵌合孔とシール部材の外周面との間に圧入係止し、このシール部材にケーブルを気密に貫通する抜け止めリングを形成し、前記プラグコンタクト差し込み孔内に、一端部の圧着片がケーブルのリード線に接続され、他端部のプラグコンタクトの接触ばねが前記プラグコンタクトに接離される圧着端子を収納してなることを特徴とするケーブル中継用コネクタ。
【請求項３】
圧接リングは、内周面にレセプタクルハウジングの外周面と圧接する山部を形成し、外周面にレセプタクル挿入孔の内周面と圧接する溝部を形成したことを特徴とする請求項１又は２記載のケーブル中継用コネクタ。
【請求項４】
プラグハウジングの両端にそれぞれ設けた第１プラグ部及び第２プラグ部と、これらの第１プラグ部と第２プラグ部にそれぞれ着脱自在に挿入されるレセプタクルとからなり、前記第１プラグ部及び第２プラグ部は、筒型のプラグハウジングの途中の障壁部で仕切られ、この障壁部を気密に貫通するプラグコンタクトの両端部をそれぞれのプラグ部のレセプタクル挿入孔内に突設し、これらのレセプタクル挿入孔の内周面と前記障壁部の壁面とに密接するようにそれぞれ圧接リングを嵌合し、この圧接リングの抜け止めのための支持リングを前記レセプタクル挿入孔の内周面に嵌合しつつ支持リングと一体の係止突起をプラグハウジングの係止孔に係止し、前記プラグハウジングの一部を延長してレセプタクル係止孔を有するレセプタクル係止用舌片を設けてなり、前記レセプタクルは、前記レセプタクル挿入孔に挿入されるレセプタクルハウジングに、一端部側から嵌合孔を形成し、この嵌合孔から前記レセプタクルハウジングの他端部側に貫通するプラグコンタクト差し込み孔を形成し、前記嵌合孔の内周面にシール部材の鍔部を気密に嵌合するとともに、このシール部材の抜け止めのための抜け止めリングを前記嵌合孔とシール部材の外周面との間に圧入しつつ抜け止めリングと一体の係止突部をレセプタクルハウジングの係止孔に係止し、このシール部材にケーブルを気密に貫通する抜け止めリングを形成し、前記プラグコンタクト差し込み孔内に、一端部の圧着片がケーブルのリード線に接続され、他端部のプラグコンタクトの接触ばねが前記プラグコンタクトに接離される圧着端子を収納しつつこのプラグコンタクト差し込み孔内の圧着端子係止突部に圧着端子を係止し、前記レセプタクルハウジングの側面に前記レセプタクル係止孔に係止する係止突片を設けてなることを特徴とするケーブル中継用コネクタ。
【発明の詳細な説明】
【技術分野】
【０００１】
本発明は、２本のケーブルを互いに接続するためのケーブル中継用コネクタに関し、さらに詳しくは、外部からの水分の浸入を防止し、また、ケーブル被覆やケーブルと被覆との隙間に存在する水分により湿気を含んだ空気が他方のケーブルへ伝達するのを防止する防湿機能をもたせたケーブル中継用コネクタに関するものである。
【背景技術】
【０００２】
図６に示すように、両側のケーブル５０ａと５０ｂを互いに接続するための従来のケーブル中継用コネクタは、レセプタクル５１とプラグ５２を嵌合したときにのみ外部からの水分浸入に対する防水効果を発揮せしめるようになっている。
さらに詳しくは、レセプタクル５１は、ケーブル挿入筒５５のケーブル差し込み孔５７にＯリング５８を介在してケーブル５０ａを気密に圧入し、このケーブル５０ａの先端の各リード線に圧着端子６２を圧着部６３で接続する。ケーブル５０ａを挿入したケーブル挿入筒５５は、ハウジング５３の収納孔５４にＯリング５６を介在して気密に挿入するとともに、圧着端子６２の先端の接触片６４を保護筒部６５のプラグ挿入孔６１に圧入して係止突片６０を係止孔５９に係止する。
【０００３】
前記プラグ５２は、ケーブル挿入筒６８のケーブル差し込み孔６９にＯリング８２を介在してケーブル５０ｂを気密に圧入し、このケーブル５０ｂの先端の各リード線に圧着端子７５を圧着部７６で接続する。また、プラグハウジング６６の収納孔６７には、まず圧着端子取り付け筒７３を挿入し、次いで、Ｏリング７０を介在してケーブル５０ｂを挿入したケーブル挿入筒６８を圧入する。すると、圧着端子７５が圧着端子取り付け筒７３の圧着端子差し込み孔７４に挿入され、さらに圧着端子７５と一体のピンプラグ部７７が圧着端子取り付け筒７３のレセプタクルの貫通孔７９を通してレセプタクルの嵌合凹部７８内に突出するとともに、係止突片７２を係止孔７１に係止する。８０は、係止用舌片である。
【０００４】
このような構成において、レセプタクル５１をプラグ５２の支持筒８３側から挿入すると、保護筒部６５がレセプタクルの嵌合凹部７８に嵌合し、ピンプラグ部７７がプラグ挿入孔６１内の接触片６４に接続し、さらに圧入すると、ハウジング５３の先端部がＯリング８１に圧接する。
【０００５】
前述のように、互いに接続すべき両側のケーブル５０ａ，５０ｂをレセプタクル５１とプラグ５２を嵌合して接続する方法の他に、両側のそれぞれのケーブルの先端をモジュールハウジングに接続し、このモジュールハウジングの端子と、リセプタクル組み立て体の両側の中継ピンとを接続するようにしたものが知られている（特許文献１）。
【特許文献１】特開平１１−３３９９１０号公報
【発明の開示】
【発明が解決しようとする課題】
【０００６】
図６に示した従来のケーブル中継用コネクタにおいて、レセプタクル５１やプラグ５２の内部は、互いに嵌合したとき、Ｏリング５６、５８、８１、７０、８２によって外部からの水分をある程度防ぐことができるが、２本のケーブル５０ａと５０ｂは、ケーブル差し込み孔５７、プラグ挿入孔６１、レセプタクルの嵌合凹部７８、レセプタクルの貫通孔７９、圧着端子差し込み孔７４、ケーブル差し込み孔６９を通して互いに連通しているため、一方のケーブル被覆やケーブルと被覆との隙間に存在する水分により湿気を含んだ空気が他方のケーブルへ伝達し、防湿機能が不十分である、という問題点があった。
また、特許文献１に示すように、リセプタクル組み立て体を介在して両側のそれぞれのケーブルのモジュールハウジング端子を接続するようにしたものでは、外部からの水分を防ぐことができない、という問題点があった。
【０００７】
本発明は、２本のケーブルをコネクタを用いて接続する場合、外部からの水分の浸入を防止し、また、ケーブル被覆やケーブルと被覆との隙間に存在する水分により湿気を含んだ空気が他方のケーブルへ伝達するのを防止する防湿機能をもたせたケーブル中継用コネクタを提供しようとするものである。
【課題を解決するための手段】
【０００８】
請求項１記載の発明は、プラグハウジングに設けた複数のプラグ部と、これら複数のプラグ部にそれぞれ着脱自在に挿入されるレセプタクルとからなり、前記複数のプラグ部は、プラグハウジングの途中の障壁部で仕切られ、この障壁部を気密に貫通するプラグコンタクトの端部をそれぞれのプラグ部のレセプタクル挿入孔内に突設し、これらのレセプタクル挿入孔内にそれぞれ圧接リングを嵌合してなり、前記レセプタクルは、前記レセプタクル挿入孔に挿入されるレセプタクルハウジングに、一端部側から嵌合孔を形成し、この嵌合孔から前記レセプタクルハウジングの他端部側に貫通するプラグコンタクト差し込み孔を形成し、前記嵌合孔内にケーブルを気密に貫通するシール部材を形成し、前記プラグコンタクト差し込み孔内に、一端部がケーブルに接続され、他端部が前記プラグコンタクトに接離される接触ばねを有する圧着端子を収納してなることを特徴とするケーブル中継用コネクタである。
【０００９】
請求項２記載の発明は、プラグハウジングの両端にそれぞれ設けた第１プラグ部及び第２プラグ部と、これらの第１プラグ部と第２プラグ部にそれぞれ着脱自在に挿入されるレセプタクルとからなり、前記第１プラグ部及び第２プラグ部は、筒型のプラグハウジングの途中の障壁部で仕切られ、この障壁部を気密に貫通するプラグコンタクトの両端部をそれぞれのプラグ部のレセプタクル挿入孔内に突設し、これらのレセプタクル挿入孔の内周面と前記障壁部の壁面とに密接するようにそれぞれ圧接リングを嵌合し、この圧接リングの抜け止めのための支持リングを前記レセプタクル挿入孔の内周面に嵌合係止してなり、前記レセプタクルは、前記レセプタクル挿入孔に挿入されるレセプタクルハウジングに、一端部側から嵌合孔を形成し、この嵌合孔から前記レセプタクルハウジングの他端部側に貫通するプラグコンタクト差し込み孔を形成し、前記嵌合孔の内周面にシール部材の鍔部を気密に嵌合するとともに、このシール部材の抜け止めのための抜け止めリングを前記嵌合孔とシール部材の外周面との間に圧入係止し、このシール部材にケーブルを気密に貫通する抜け止めリングを形成し、前記プラグコンタクト差し込み孔内に、一端部の圧着片がケーブルのリード線に接続され、他端部のプラグコンタクトの接触ばねが前記プラグコンタクトに接離される圧着端子を収納してなることを特徴とするケーブル中継用コネクタである。
【００１０】
請求項３記載の発明は、圧接リングは、内周面にレセプタクルハウジングの外周面と圧接する山部を形成し、外周面にレセプタクル挿入孔の内周面と圧接する溝部を形成したことを特徴とする請求項１又は２記載のケーブル中継用コネクタである。
【００１１】
請求項４記載の発明は、プラグハウジングの両端にそれぞれ設けた第１プラグ部及び第２プラグ部と、これらの第１プラグ部と第２プラグ部にそれぞれ着脱自在に挿入されるレセプタクルとからなり、前記第１プラグ部及び第２プラグ部は、筒型のプラグハウジングの途中の障壁部で仕切られ、この障壁部を気密に貫通するプラグコンタクトの両端部をそれぞれのプラグ部のレセプタクル挿入孔内に突設し、これらのレセプタクル挿入孔の内周面と前記障壁部の壁面とに密接するようにそれぞれ圧接リングを嵌合し、この圧接リングの抜け止めのための支持リングを前記レセプタクル挿入孔の内周面に嵌合しつつ支持リングと一体の係止突起をプラグハウジングの係止孔に係止し、前記プラグハウジングの一部を延長してレセプタクル係止孔を有するレセプタクル係止用舌片を設けてなり、前記レセプタクルは、前記レセプタクル挿入孔に挿入されるレセプタクルハウジングに、一端部側から嵌合孔を形成し、この嵌合孔から前記レセプタクルハウジングの他端部側に貫通するプラグコンタクト差し込み孔を形成し、前記嵌合孔の内周面にシール部材の鍔部を気密に嵌合するとともに、このシール部材の抜け止めのための抜け止めリングを前記嵌合孔とシール部材の外周面との間に圧入しつつ抜け止めリングと一体の係止突部をレセプタクルハウジングの係止孔に係止し、このシール部材にケーブルを気密に貫通する抜け止めリングを形成し、前記プラグコンタクト差し込み孔内に、一端部の圧着片がケーブルのリード線に接続され、他端部のプラグコンタクトの接触ばねが前記プラグコンタクトに接離される圧着端子を収納しつつこのプラグコンタクト差し込み孔内の圧着端子係止突部に圧着端子を係止し、前記レセプタクルハウジングの側面に前記レセプタクル係止孔に係止する係止突片を設けてなることを特徴とするケーブル中継用コネクタである。
【発明の効果】
【００１２】
請求項１記載の発明によれば、１つのプラグハウジングに複数のプラグ部を設け、これら複数のプラグ部にそれぞれ着脱自在にレセプタクルを挿入し、前記複数のプラグ部は、障壁部で仕切られ、この障壁部をプラグコンタクトが気密に貫通し、その端部をそれぞれのプラグ部のレセプタクル挿入孔内に突設し、これらのレセプタクル挿入孔内にそれぞれ圧接リングを嵌合してなり、前記レセプタクルは、レセプタクルハウジングに、嵌合孔とプラグコンタクト差し込み孔を形成し、前記嵌合孔内にケーブルを気密に貫通するシール部材を形成し、前記プラグコンタクト差し込み孔内に、一端部がケーブルに接続され、他端部が前記プラグコンタクトに接離される接触ばねを有する圧着端子を収納したので、ケーブル被覆やケーブルと被覆との隙間に存在する水分により湿気を含んだ空気が他方のケーブルへ伝達するのを障壁部で確実に防止する防湿機能をもたせることができる。また、圧接リングとシール部材により外部からの水分の浸入を確実に防止できる。
【００１３】
請求項２記載の発明によれば、プラグ部において、圧接リングの抜け止めのための支持リングをレセプタクル挿入孔の内周面に嵌合係止し、
レセプタクルにおいて、シール部材の抜け止めのための抜け止めリングを嵌合孔とシール部材の外周面との間に圧入係止したことにより、プラグ部とレセプタクルとの着脱時においても圧接リングとシール部材は、その位置を確実に保持され、水分の浸入と防湿機能をちょうきかんにわたってもたせることができる。
【００１４】
請求項３記載の発明によれば、圧接リングは、内周面にレセプタクルハウジングの外周面と圧接する山部を形成し、外周面にレセプタクル挿入孔の内周面と圧接する溝部を形成したので、レセプタクルハウジングの外周面とレセプタクル挿入孔の内周面とにおける圧接リングの密着する面積がより多くなることによって防水効果と防湿効果をより向上させることができる。
【００１５】
請求項４記載の発明によれば、プラグ部において、圧接リングの抜け止めのための支持リングをレセプタクル挿入孔の内周面に嵌合しつつ支持リングと一体の係止突起をプラグハウジングの係止孔に係止し、また、レセプタクルにおいて、シール部材の抜け止めのための抜け止めリングを嵌合孔とシール部材の外周面との間に圧入しつつ抜け止めリングと一体の係止突部をレセプタクルハウジングの係止孔に係止し、プラグコンタクト差し込み孔内の圧着端子係止突部に圧着端子を係止し、レセプタクルハウジングの側面の係止突片をレセプタクル係止孔に係止するようにしたので、プラグ部とレセプタクルの組み立てが容易で、かつ、確実に保持できる。
【発明を実施するための最良の形態】
【００１６】
本発明によるケーブル中継用コネクタは、プラグハウジングの両端にそれぞれ設けた第１プラグ部及び第２プラグ部と、これらの第１プラグ部と第２プラグ部にそれぞれ着脱自在に挿入されるレセプタクルとからなる。
前記第１プラグ部及び第２プラグ部は、筒型のプラグハウジングの途中の障壁部で仕切られ、この障壁部を気密に貫通するプラグコンタクトの両端部をそれぞれのプラグ部のレセプタクル挿入孔内に突設し、これらのレセプタクル挿入孔の内周面と前記障壁部の壁面とに密接するようにそれぞれ圧接リングを嵌合し、この圧接リングの抜け止めのための支持リングを前記レセプタクル挿入孔の内周面に嵌合しつつ支持リングと一体の係止突起をプラグハウジングの係止孔に係止し、前記プラグハウジングの一部を延長してレセプタクル係止孔を有するレセプタクル係止用舌片を設けて形成される。
前記レセプタクルは、前記レセプタクル挿入孔に挿入されるレセプタクルハウジングに、一端部側から嵌合孔を形成し、この嵌合孔から前記レセプタクルハウジングの他端部側に貫通するプラグコンタクト差し込み孔を形成し、前記嵌合孔の内周面にシール部材の鍔部を気密に嵌合するとともに、このシール部材の抜け止めのための抜け止めリングを前記嵌合孔とシール部材の外周面との間に圧入しつつ抜け止めリングと一体の係止突部をレセプタクルハウジングの係止孔に係止し、このシール部材にケーブルを気密に貫通する抜け止めリングを形成し、前記プラグコンタクト差し込み孔内に、一端部の圧着片がケーブルのリード線に接続され、他端部のプラグコンタクトの接触ばねが前記プラグコンタクトに接離される圧着端子を収納しつつこのプラグコンタクト差し込み孔内の圧着端子係止突部に圧着端子を係止し、前記レセプタクルハウジングの側面に前記レセプタクル係止孔に係止する係止突片を設けて形成する。
前記圧接リングは、内周面にレセプタクルハウジングの外周面と圧接する山部を形成し、外周面にレセプタクル挿入孔の内周面と圧接する溝部を形成することで接触面積をより大きくして防水、防湿効果を向上させる。
【実施例１】
【００１７】
本発明によるケーブル中継用コネクタの実施例１を図１乃至図５に基き説明する。
図１において、１０は、プラグハウジングで、このプラグハウジング１０は、中央の障壁部４６を隔てて左右両側に第１プラグ部１１とレセプタクル１３が形成され、同一形状のレセプタクル１３が着脱自在に挿入される。
この第１プラグ部１１と第２プラグ部１２は、左右対称形であり、また、これらの第１プラグ部１１と第２プラグ部１２に挿入される２個のレセプタクル１３も同一形状であるから、以下同一部分は、同一符号を付して説明する。
【００１８】
前記プラグハウジング１０は、図２及び図３に示すように、全体の形状が丸みを帯びた角筒形をなし、両端部から中央の障壁部４６までそれぞれレセプタクル挿入孔１５が形成され、このレセプタクル挿入孔１５の上面には、レセプタクル係止用舌片１６が長さ方向に突出し、このレセプタクル係止用舌片１６の先端にレセプタクル係止孔１７が穿設され、また、両側に弾性を持たせるための２本の切り込み２０が形成されている。また、レセプタクル挿入孔１５の両側には、位置決め溝２１が切り欠かれ、下面には、係止孔２５が穿設されている。前記障壁部４６のコンタクト圧入孔１９には、両端部がそれぞれのレセプタクル挿入孔１５内に突出するように複数本のプラグコンタクト１８が設けられている。このプラグコンタクト１８は、抜け止め突部２６を形成してコンタクト圧入孔１９に圧入してもよいし、プラグハウジング１０の成型時に一体にモールドするようにしてもよく、要するに、コンタクト圧入孔１９を介して両側のレセプタクル挿入孔１５間で空気が流通するようなことなく完全に遮断されるように気密性を保持する。
【００１９】
前記レセプタクル挿入孔１５の内部には、このレセプタクル挿入孔１５の内壁面と障壁部４６との角部付近に密着する位置にゴムなどの弾性材からなる圧接リング２２が挿入される。この圧接リング２２は、内周面中央部が断面３角形に盛り上がった山部４４とし、外周面が２条の溝部４５とする。また、レセプタクル挿入孔１５の内部の開口部側には、支持リング２３が嵌め込まれる。この支持リング２３には、上面に切り込み４３が形成され、下面に係止突起２４が形成されており、この係止突起２４は、レセプタクル挿入孔１５の下面の係止孔２５に係止される。
【００２０】
前記レセプタクル１３は、図４及び図５に示すように、レセプタクルハウジング１４と、このレセプタクルハウジング１４の嵌合孔４７に着脱自在に挿入されるシール部材３５と、このシール部材３５の抜け止めのための抜け止めリング３７からなる。
前記レセプタクルハウジング１４は、一端部側の嵌合孔４７から他端部に貫通するプラグコンタクト差し込み孔３１がケーブル２８の挿入数だけ穿設され、このプラグコンタクト差し込み孔３１の内部途中には、圧着端子係止突部３２が形成されている。また、前記嵌合孔４７の側面には、係止孔４０が穿設され、上面には、２本のガイド翼片３３が形成されるとともに、このガイド翼片３３の間に係止突片３４が形成されている。
前記シール部材３５は、ゴムなどの弾性材からなり、先端外周に鍔部４２が設けられ、内部にケーブル２８を密着して圧入する抜け止めリング３６が小径部と大径部とを交互に波打つように形成され、防水効果を向上させている。
前記抜け止めリング３７は、シール部材３５の外周に嵌合するもので、両側の外面には、係止突部４１が形成されている。
【００２１】
以上のように構成された本発明によるケーブル中継用コネクタの作用を説明する。
中継接続しようとする一方のケーブル２８は、一方のレセプタクル１３のシール部材３５の抜け止めリング３６にそれぞれ圧入され、先端の一部をシール部材３５の端面から突出させる。突出した各ケーブル２８のリード線部分をそれぞれ圧着端子２７の圧着片３０で圧着固定する。複数本のケーブル２８についても同様に構成する。
ケーブル２８を取り付けたシール部材３５をレセプタクルハウジング１４の嵌合孔４７に圧入すると、鍔部４２が嵌合孔４７の内面に接しながら挿入され、かつ、各ケーブル２８の圧着端子２７のプラグコンタクトの接触ばね２９がプラグコンタクト差し込み孔３１に挿入され、圧着端子２７が圧着端子係止突部３２に係止される。
ついで、シール部材３５の外周面と嵌合孔４７の内周面間に抜け止めリング３７を、ガイド?３８が嵌合孔４７のガイド溝３９にガイドされつつ圧入し、係止突部４１を係止孔４０に係止する。すると、シール部材３５の鍔部４２が抜け止めリング３７で押し付けられて嵌合孔４７に密着する。
中継接続しようとする他方のケーブル２８についても同様に他方のレセプタクル１３に組み込み接続する。
【００２２】
一方のケーブル２８を組み込み接続したレセプタクル１３をプラグハウジング１０の一方の第１プラグ部１１に挿入する。レセプタクル１３のガイド翼片３３が切り込み２０と切り込み４３にガイドされつつプラグハウジング１０のレセプタクル挿入孔１５に挿入されると、プラグコンタクト１８がレセプタクル１３のプラグコンタクト差し込み孔３１に挿入され圧着端子２７のプラグコンタクトの接触ばね２９に電気的に接続される。同時にレセプタクルハウジング１４の先端外周面で圧接リング２２の山部４４と溝部４５を押し潰すと、溝部４５が嵌合孔４７の内面に密着する。さらにレセプタクル１３を圧入すると、傾斜面４８で支持リング２３を押し込み、圧接リング２２はさらに圧着され、レセプタクル１３の係止突片３４がレセプタクル係止用舌片１６のレセプタクル係止孔１７に係止する。
【００２３】
他方のケーブル２８を組み込み接続したレセプタクル１３についても、前記同様にしてプラグハウジング１０の他方の第２プラグ部１２に挿入すると、圧着端子２７のプラグコンタクトの接触ばね２９が電気的にプラグコンタクト１８の他端部に接続されるとともに、レセプタクル１３が気密に第２プラグ部１２に係止される。
【００２４】
以上のようにしてプラグハウジング１０の両端の第１プラグ部１１と第２プラグ部１２とにそれぞれレセプタクル１３を圧入接続すると、レセプタクルハウジング１４の内部のプラグコンタクト差し込み孔３１は、嵌合孔４７側の抜け止めリング３６がケーブル２８で気密を保持されると共に、シール部材３５の鍔部４２で気密に保持される。また、プラグコンタクト差し込み孔３１のプラグコンタクト１８が挿入される側は、押し潰された圧接リング２２により気密に保持されるとともに、障壁部４６によって第２プラグ部１２側とも完全に遮蔽される。したがって、プラグコンタクト差し込み孔３１内に外部から水分や湿気が浸入することがなく、かつ、第１プラグ部１１と第２プラグ部１２との間での湿気の流通も完全に遮断される。そのため、たとえ一方の第１プラグ部１１におけるケーブル２８内部から湿気が発生しても他方の第２プラグ部１２側に影響することは確実に防ぐことができる。
【００２５】
前記実施例では、プラグハウジング１０を一直線状に形成し、両端のレセプタクル挿入孔１５にプラグ部１３を互いに直線的に挿入するようにしたが、本発明は、これに限られるものではなく、両側のレセプタクル挿入孔１５が障壁部４６の位置で互いに１８０度以外の角度で交わるように形成してもよい。
前記実施例では、プラグハウジング１０の両端に２個のレセプタクル挿入孔１５を形成し、２個のプラグ部１３を挿入接続するようにしたが、本発明は、これに限られるものではなく、１つのプラグハウジング１０に３個以上のレセプタクル挿入孔１５を放射状に形成し、それぞれのレセプタクル挿入孔１５にプラグ部１３を挿入接続するようにしてもよい。
【図面の簡単な説明】
【００２６】
【図１】本発明によるケーブル中継用コネクタの実施例１を示す断面図である。
【図２】図１におけるプラグ部を示すもので、（ａ）は、平面図、（ｂ）は、縦断面図、（ｃ）は、側面図である。
【図３】図１におけるプラグ部の一部切り欠いた分解斜視図である。
【図４】図１におけるレセプタクル１３を示すもので、（ａ）は、平面図、（ｂ）は、正面図、（ｃ）は、縦断面図、（ｄ）は、左側面図、（ｅ）は、右側面図である。
【図５】図１におけるレセプタクル１３の一部切り欠いた分解斜視図である。
【図６】従来のケーブル中継用コネクタの断面図である。
【符号の説明】
【００２７】
１０…プラグハウジング、１１…第１プラグ部、１２…第２プラグ部、１３…レセプタクル、１４…レセプタクルハウジング、１５…レセプタクル挿入孔、１６…レセプタクル係止用舌片、１７…レセプタクル係止孔、１８…プラグコンタクト、１９…コンタクト圧入孔、２０…切り込み、２１…位置決め溝、２２…圧接リング、２３…支持リング、２４…係止突起、２５…係止孔、２６…抜け止め突部、２７…圧着端子、２８…ケーブル、２９…プラグコンタクトの接触ばね、３０…圧着片、３１…プラグコンタクト差し込み孔、３２…圧着端子係止突部、３３…ガイド翼片、３４…係止突片、３５…シール部材、３６…抜け止めリング、３７…抜け止めリング、３８…ガイド?、３９…ガイド溝、４０…係止孔、４１…係止突部、４２…鍔部、４３…切り込み、４４…山部、４５…溝部、４６…障壁部、４７…嵌合孔、４８…傾斜面、５０…ケーブル、５１…レセプタクル、５２…プラグ、５３…ハウジング、５４…収納孔、５５…ケーブル挿入筒、５６…Ｏリング、５７…ケーブル差し込み孔、５８…Ｏリング、５９…係止孔、６０…係止突片、６１…プラグ挿入孔、６２…圧着端子、６３…圧着部、６４…接触片、６５…保護筒部、６６…プラグハウジング、６７…収納孔、６８…ケーブル挿入筒、６９…ケーブル差し込み孔、７０…Ｏリング、７１…係止孔、７２…係止突片、７３…圧着端子取り付け筒、７４…圧着端子差し込み孔、７５…圧着端子、７６…圧着部、７７…ピンプラグ部、７８…レセプタクルの嵌合凹部、７９…レセプタクルの貫通孔、８０…係止用舌片、８１…Ｏリング、８２…Ｏリング、８３…支持筒。
【図１】
2007005155.tif 000003
【図２】
2007005155.tif 000004
【図３】
2007005155.tif 000005
【図４】
2007005155.tif 000006
【図５】
2007005155.tif 000007
【図６】
2007005155.tif 000008